(57)【要約】【課題】テレビカメラ装置のレンズ装置の側面にモニタを設置し、そのモニタに現在撮影されている映像を表示することによって、テレビカメラ装置の周辺にいる人が現在の撮影状況を容易に確認できるようにし、自分のいる位置が撮影を妨げることがないかをそれらの人が容易に判断することができるようにしたレンズ装置を提供する。【解決手段】テレビカメラ装置のレンズ装置１２の側面にモニタ４０が設置され、そのモニタ４０にテレビカメラ装置で現在撮影されている映像が表示される。その映像は、カメラ本体から取得するようにしてもよいし、レンズ装置１２においてオートフォーカス（ＡＦ）機能を搭載している場合に、そのＡＦ用の撮像素子をレンズ装置１２が備えているときには、そのＡＦ用の撮像素子によって撮影される映像を表示させるようにしてもよい。【選択図】    図２
2008219801.tif 000002
【特許請求の範囲】
【請求項１】
テレビカメラ装置の撮像素子を備えたカメラ本体に着脱可能に装着され、前記撮像素子に被写体像を結像する撮影光学系を備えたレンズ装置において、
画像の表示が可能なモニタであって、前記画像がレンズ装置の側方から視認可能なように前記レンズ装置に設置されるモニタを備え、該モニタに前記テレビカメラ装置で撮影されている映像を表示させることを特徴とするレンズ装置。
【請求項２】
前記レンズ装置は、オートフォーカス機能を搭載すると共に、該オートフォーカス機能の制御において使用する映像を取得するために、前記カメラ本体の撮像素子と同等の映像を撮像するＡＦ用撮像素子を備え、
前記モニタは、前記ＡＦ用撮像素子により得られた映像を表示することを特徴とする請求項１のレンズ装置。
【請求項３】
前記モニタには、前記テレビカメラ装置で撮影されている映像以外の情報が表示可能であることを特徴とする請求項１、又は、２のレンズ装置。
【請求項４】
前記レンズ装置は、カバーで周面が覆われ、前記モニタは、前記カバーの側面に設置されたことを特徴とする請求項１、２、又は、３のレンズ装置。
【発明の詳細な説明】
【技術分野】
【０００１】
本発明はレンズ装置に係り、特に、放送用又は業務用のテレビカメラ装置においてレンズ交換式のカメラ（カメラ本体）に挿脱されるレンズ装置に関する。
【背景技術】
【０００２】
放送用又は業務用のテレビカメラ装置は、撮像素子や映像信号処理回路等を備えたカメラ本体と、被写体像を結像する撮影光学系を備えたレンズ装置等から構成され、一般にカメラ本体に対してレンズ装置が交換可能に装着されるようになっている。
【０００３】
スタジオ等におけるテレビ番組の撮影では、このようなテレビカメラが複数台使用され、撮影現場には、出演者とそれらのテレビカメラ装置を操作するカメラマンの他にも、出演者に指示を送るスタッフなど多くの人がテレビカメラ装置の周辺に散在している。それらの人は、テレビカメラ装置の映像に自分の姿が映り込むことなどがないように常に注意を払っており、例えば、特許文献１にあるように、レンズ装置の側面に設置されているインジケータによって焦点距離等の撮影状況を確認している。
【特許文献１】特開平１１−２４９２１８号公報
【発明の開示】
【発明が解決しようとする課題】
【０００４】
しかしながら、レンズ装置の側面に設置されている従来のインジケータは、数値やバーブラフのような形式で焦点距離等の情報の表示を行っており、一目で現在の撮影状況を把握することができないという欠点があった。
【０００５】
本発明はこのような事情に鑑みてなされたもので、テレビカメラ装置の周辺にいる人が現在の撮影状況を容易に把握できるようにし、自分のいる位置が撮影の妨げとならないかをそれらの人が容易に判断することができるようにしたレンズ装置を提供することを目的とする。
【課題を解決するための手段】
【０００６】
前記目的を達成するために、請求項１に記載のレンズ装置は、テレビカメラ装置の撮像素子を備えたカメラ本体に着脱可能に装着され、前記撮像素子に被写体像を結像する撮影光学系を備えたレンズ装置において、画像の表示が可能なモニタであって、前記画像がレンズ装置の側方から視認可能なように前記レンズ装置に設置されるモニタを備え、該モニタに前記テレビカメラ装置で撮影されている映像を表示させることを特徴としている。
【０００７】
本発明によれば、出演者やカメラマン以外のテレビカメラ装置の周辺にいる人が、そのテレビカメラ装置で現在撮影されている映像をレンズ装置に設置されたモニタで確認することができるため、自分のいる位置が撮影の妨げとならないかをそれらの人が容易に判断することができる。
【０００８】
請求項２に記載のレンズ装置は、請求項１に記載の発明において、前記レンズ装置は、オートフォーカス機能を搭載すると共に、該オートフォーカス機能の制御において使用する映像を取得するために、前記カメラ本体の撮像素子と同等の映像を撮像するＡＦ用撮像素子を備え、前記モニタは、前記ＡＦ用撮像素子により得られた映像を表示することを特徴としている。
【０００９】
本発明によれば、レンズ装置がカメラ本体の撮像素子と同等の映像を撮影するためのオートフォーカス用のＡＦ用撮像素子を備えている場合にはカメラ本体から映像信号を取得することなく、ＡＦ用撮像素子で得られた映像をレンズ装置のモニタに表示させることができる。
【００１０】
請求項３に記載のレンズ装置は、請求項１、又は、２に記載の発明において、前記モニタには、前記テレビカメラ装置で撮影されている映像以外の情報が表示可能であることを特徴としている。
【００１１】
本発明によれば、レンズ装置に設置されているモニタを撮影されている映像を表示する用途以外にも使用することができる。
【００１２】
請求項４に記載のレンズ装置は、請求項１、２、又は、３に記載の発明において、前記レンズ装置は、カバーで周面が覆われ、前記モニタは、前記カバーの側面に設置されたことを特徴としている。
【００１３】
本発明は、レンズ装置がいわゆる箱型のカバーで覆われたＥＦＰカメラ用レンズ装置のような場合のモニタの具体的な設置位置を限定したものである。
【発明の効果】
【００１４】
本発明に係るレンズ装置によれば、テレビカメラ装置の周辺にいる人が現在の撮影状況を容易に把握できるようになり、自分のいる位置が撮影の妨げとならないかをそれらの人が容易に判断することができるようになる。
【発明を実施するための最良の形態】
【００１５】
以下、添付図面に従って本発明に係るレンズ装置を実施するための最良の形態について詳説する。
【００１６】
図１は、本発明に係るレンズ装置が適用されたテレビカメラシステムの一実施の形態を示した斜視図である。同図に示すようにテレビカメラ装置１０は、被写体像を結像する撮影光学系（撮影レンズ）を備えたレンズ装置１２と、撮像素子や各種信号処理回路を備えたカメラ本体（カメラ装置）１４から構成され、ペデスタルドリー１６上の雲台１８に支持される。
【００１７】
同図のレンズ装置１２は、スタジオ等で使用されるいわゆるＥＦＰカメラ用のレンズ装置を示しており、箱型のカバーで周面全体が覆われ、そのカバー内に被写体像を結像するための撮影光学系（撮影レンズ）や、撮影光学系のズーム、フォーカス、アイリス等の光学要素を電動で駆動制御するための制御系部品が収納されている。レンズ装置１２の後端にはマウントが設けられ、そのマウントによってレンズ装置１２の撮影光学系がレンズ交換式のカメラ本体１４に対して着脱可能に装着されるようになっている。
【００１８】
雲台１８には２本の操作ロッド２２、２３が延設され、操作ロッド２２のグリップ２４付近にはズームスピードを操作するズームレートデマンド２６が取り付けられている。一方、操作ロッド２３の端部にはフォーカスを操作するフォーカスデマンド２８が取り付けられている。
【００１９】
ズームレートデマンド２６からは、サムリング３４の回動操作に応じたズーム動作の実行を指示するズーム制御信号が出力される。そして、そのズーム制御信号がケーブル３０を介してレンズ装置１２に与えられる。フォーカスデマンド２８からは、フォーカスリング２８Ａの回転操作に応じたフォーカス動作の実行を指示するフォーカス制御信号が出力される。そして、そのフォーカス制御信号がケーブル３１を介してレンズ装置１２に与えられる。レンズ装置１２では、ズームレートデマンド２６から与えられたズーム制御信号、及び、フォーカスデマンド２８から与えられたフォーカス制御信号に従って撮影光学系のズーム及びフォーカスが駆動制御されるようになっている。
【００２０】
カメラ本体１４の上面にはビューファインダー３２が設置されている。そのビューファインダー３２には、テレビカメラ装置１０によって現在撮影されているリアルタイムの映像等が表示されるようになっている。
【００２１】
また、本発明に係るレンズ装置１２には、その側面にモニタ４０が設置される。そのモニタ４０にも後述のようにテレビカメラ装置１０によって現在撮影されているリアルタイムの映像等が表示されるようになっている。
【００２２】
カメラマンは、ビューファインダー３２の撮影映像を見ながら右手でフォーカスデマンド２８のフォーカスリング２８Ａを回転操作して撮影光学系のフォーカス調整を行うとともに、左手でズームレートデマンド２６のサムリング３４を操作して撮影光学系のズーム調整を行う。
【００２３】
一方、カメラマンや出演者以外のテレビカメラ装置１０の周辺にいる人は、レンズ装置１２側面のモニタ４０に映る映像を見ることによって、自分のいる位置がそのテレビカメラ装置１０での撮影映像に映り込んでいないか等、撮影の妨げとならないかを判断することができ、撮影の妨げとなるような場合には適宜移動する。
【００２４】
図２は、上記レンズ装置１２の左側面を示した側面図である。同図のようにレンズ装置１２の周面は、カバーで覆われており、そのカバーの左側面の一部に開口が形成され、その開口に例えば液晶のモニタ４０が埋設されている。レンズ装置１２の側面後端側には、現在の焦点距離や絞り値を例えばバー表示するためのインジケータ４２等が設けられている。
【００２５】
そして、モニタ４０には、上記のようにテレビカメラ装置１０で現在撮影されている映像や、インジケータ４２に表示される焦点距離、絞り値などの情報と同等の情報が表示されるようになっている。尚、モニタ４０は液晶以外の種類のディスプレイであってもよい。
【００２６】
以下、モニタ４０での情報表示に関して説明する。
【００２７】
図３は、上記レンズ装置１２の内部構成を示したブロック図である。レンズ装置１２は、被写体像を結像するための撮影光学系と、撮影光学系を制御するための制御系とを備えている。撮影光学系は、鏡胴５０内に配置された各種光学要素によって構成されており、その構成要素として、フォーカスレンズ（群）５２、ズームレンズ（群）５４、絞り５６、リレーレンズ（群）５８等を備えている。フォーカスレンズ５２、ズームレンズ５４は鏡胴５０内において光軸方向に移動可能に支持されており、フォーカスレンズ５２が移動することによって焦点位置（ピントが合う被写体までの距離）が変化し、ズームレンズ５４が移動することによって焦点距離（画角）が変化するようになっている。また、絞り５６が開閉動作することによって絞り値が変化し、撮影光学系によって結像される被写体像の明るさが変化するようになっている。
【００２８】
レンズ装置１２の制御系は、上記フォーカスレンズ５２、ズームレンズ５４、絞り５６を電動で駆動制御するための構成要素を備えており、その構成要素として、ＣＰＵ６０、モータ６２Ｍ、６４Ｍ、６６Ｍ、ポテンショメータ６２Ｐ、６４Ｐ、６６Ｐ等を備えている。
【００２９】
各モータ６２Ｍ、６４Ｍ、６６Ｍは、フォーカスレンズ５２、ズームレンズ５４、絞り５６に連結されており、モータ６２Ｍ、６４Ｍの駆動力によってフォーカスレンズ５２とズームレンズ５４が光軸方向に移動し、モータ６６Ｍの駆動力によって絞り５６が開閉動作するようになっている。
【００３０】
各モータ６２Ｍ、６４Ｍ、６６Ｍにはアンプ６８、７０、７２が接続され、各モータ６２Ｍ、６４Ｍ、６６Ｍの駆動に必要な電圧及び電流が各アンプ６８、７０、７２から供給されるようになっている。各アンプ６８、７０、７２には、ＣＰＵ６０からＤ／Ａ変換器７４を介して駆動速度に対応した電圧の駆動信号が与えられ、各アンプ６８、７０、７２によりその駆動信号に応じた駆動速度で各モータ６２Ｍ、６４Ｍ、６６Ｍが駆動される。これによって、各モータ６２Ｍ、６４Ｍ、６６ＭがＣＰＵ６０の指示に従った速度で駆動され、これに伴い、フォーカスレンズ５２、ズームレンズ５４、絞り５６の動作速度がＣＰＵ６０の指示に従って制御される。
【００３１】
一方、各ポテンショメータ６２Ｐは、フォーカスレンズ５２、ズームレンズ５４、絞り５６に連結されており、フォーカスレンズ５２、ズームレンズ５４、絞り５６の各々の現在位置を示す位置信号が各ポテンショメータ６２Ｐ、６４Ｐ、６６Ｐから出力されるようになっている。ＣＰＵ６０には、それらの位置信号がＡ／Ｄ変換器７６を介して与えられ、フォーカスレンズ５２、ズームレンズ５４、絞り５６の各々の現在位置がＣＰＵ６０において検出されるようになっている。
【００３２】
従って、ＣＰＵ６０において、現在位置を検出しながらフォーカスレンズ５２、ズームレンズ５４、絞り５６の各々の動作速度を制御することによって、フォーカスレンズ５２、ズームレンズ５４、絞り５６の各位置を所望の位置となるように制御することができるようになっている。
【００３３】
上記フォーカスデマンド２８やズームデマンド２６から出力されるフォーカス制御信号やズーム制御信号は、Ａ／Ｄ変換器７６を介してＣＰＵ６０に与えられ、それらの制御信号にしたがってフォーカスレンズ５２やズームレンズ５４の位置又は動作速度がＣＰＵ６０により制御される。従って、フォーカスデマンド２８やズームデマンド２６での操作に従って撮影光学系のフォーカス、ズームが制御されるようになっている。尚、絞り５６の制御は、カメラ本体１４から与えられる制御信号に基づいて行われる。
【００３４】
このような撮影光学系及び制御系を備えたレンズ装置１２において、レンズ装置１２の側面に設けられたモニタ４０には、カメラ本体１４から取得した映像信号がスーパーインポーズ回路７８を介して与えられ、その映像信号の映像が表示されるようになっている。
【００３５】
即ち、カメラ本体１４の撮像素子により撮像されて、生成された現在撮影中の映像の映像信号がレンズ装置１２に所定の伝送路を通じて取り込まれる。そして、その映像信号がレンズ装置１２に内蔵されているスーパーインポーズ回路７８を介してモニタ４０に与えられる。これによって、モニタ４０の画面にその映像信号の映像が表示されるようになっている。
【００３６】
また、ＣＰＵ６０は、フォーカスレンズ５２、ズームレンズ５４、絞り５６の現在位置に基づいて撮影光学系の現在の焦点位置（被写体距離）、焦点距離、絞り値を検出し、それらの情報をシリアル通信等によってスーパーインポーズ回路７８に与えている。スーパーインポーズ回路７８は、ＣＰＵ６０から与えられたそれら情報を文字、記号、又は、図形で表した画像を生成し、その画像を、上記カメラ本体１４から与えられた映像信号の映像に合成する。そして、その合成した映像の映像信号をモニタ４０に出力する。これによって、モニタ４０にはテレビカメラ装置１０で現在撮影されているリアルタイムの映像と共に被写体距離や焦点距離等の情報も表示されるようになっている。
【００３７】
尚、モニタ４０に表示する情報は、レンズ装置１２の設定状態などを示す情報以外にもカメラ本体１４の設定状態などを示す情報をカメラ本体１４からレンズ装置１２に取得して表示することも可能である。
【００３８】
また、カメラ本体１４からレンズ装置１２に取り込まれる映像信号は、モニタ４０にその映像を表示させることのみを目的とするものではなく、フォーカスレンズ５２を自動で合焦位置に設定するためのオートフォーカス（ＡＦ）制御において使用することを目的とするものであってもよい。例えば、レンズ装置１２においてコントラスト方式のＡＦ機能を搭載する場合には、レンズ装置１２にはカメラ本体１４から現在撮影中の映像の映像信号が取り込まれ、その映像信号に基づいて被写体画像のコントラストが検出されると共に、検出されたコントラストが最大（極大）となるように撮影光学系のフォーカス（フォーカスレンズ５２）がＣＰＵ６０によって制御される。この場合に、そのＡＦ制御用にレンズ装置１２に取り込まれた映像信号をモニタ４０での表示用に兼用することができる。
【００３９】
また、レンズ装置１２においてＡＦ機能を搭載する場合に、レンズ装置１２において、カメラ本体１４で撮影されている映像と同様の映像をレンズ装置１２に搭載した撮像素子（ＡＦ用撮像素子）により取得できるようにする場合がある。その場合には、カメラ本体１４から映像信号を取得することなく、レンズ装置１２のＡＦ用撮像素子により得られた映像をモニタ４０に表示させるようにすることもできる。
【００４０】
レンズ装置１２がＡＦ用撮像素子を備える態様として、例えば光路長差方式のオートフォーカス機能を搭載したレンズ装置１２の構成が図４に示されている。尚、同図では、図３と同一又は類似作用の構成要素には図３と同一符号が付されており、その説明を省略する。
【００４１】
同図のレンズ装置１２において撮影光学系の鏡胴５０内には、ハーフミラー８０が配置される。ハーフミラー８０は例えば、絞り５６とリレーレンズ５８の間に配置される。そのハーフミラー８０により、撮影光学系の光路が、カメラ本体１４の撮像素子へと被写体光を導く本線光路と、後述のＡＦ用撮像素子８６Ａ、８６Ｂ、８６Ｃへと被写体光を導くＡＦ用光路との２つの光路に分岐される。撮影光学系に入射した被写体からの光（被写体光）は、ハーフミラー８０に入射すると２つに分割されて、一方の被写体光が本線光路に導かれ、他方の被写体光がＡＦ用光路に導かれる。本線光路に導かれた被写体光は、リレーレンズ５８を通過した後、カメラ本体１４の撮像素子の撮像面に被写体像を結像し、カメラ本体１４の撮像素子によりその被写体像が撮像される。
【００４２】
一方、ＡＦ用光路に分岐された被写体光は、リレーレンズ５８と同様の結像作用を有するＡＦ用リレーレンズ（群）８２を通過して、光分割光学系８４に入射する。光分割光学系８４は、入射した光を光量の等しい３つの光に等分割する光学系であり、光分割光学系８４に入射した被写体光がこの光分割光学系８４により、光量の等しい３つの被写体光に分割される。光分割光学系８４の３つの光出射面には、それぞれＡＦ用撮像素子８６Ａ、８６Ｂ、８６Ｃが配置されており、光分割光学系８４により分割された被写体光の各々がそれらのＡＦ用撮像素子８６Ａ、８６Ｂ、８６Ｃの撮像面に被写体像を結像する。
【００４３】
ここで、ＡＦ用撮像素子８６Ａ、８６Ｂ、８６Ｃの各撮像面は光路長差を有するように配置されると共に、ＡＦ用光路の光学系は、ＡＦ用撮像素子８６Ｂの撮像面に結像される被写体像が、カメラ本体１４の撮像素子の撮像面に結像される被写体像と等しく、かつ、ＡＦ用撮像素子８６Ａ、８６Ｃの各撮像面に結像される被写体像が、それぞれカメラ本体１４の撮像素子の撮像面を異なる位置に微小量ずらしたときに撮像される被写体像と等しくなるように構成されている。例えば、カメラ本体１４の撮像素子の撮像面を前側と後側の一定微小量変位させたときに、それらの撮像面に結像される被写体像が、ＡＦ用撮像素子８６Ａの撮像面とＡＦ用撮像素子８６Ｃの撮像面とに結像されるようになっている。
【００４４】
ＡＦ用撮像素子８６Ａ、８６Ｂ、８６Ｃの各々の撮像面に結像された被写体像は、ＡＦ用撮像素子８６Ａ、８６Ｂ、８６Ｃにより順次撮像され、映像信号として図示しないＡＦ用回路に読み込まれる。詳細は省略するが、ＡＦ用回路では、ＡＦ用撮像素子８６Ａ、８６Ｂ、８６Ｃから得られる映像信号の各々に対して被写体画像のコントラスト（コントラストを示す焦点評価値）を検出するための処理が施される。これによって各映像信号から焦点評価値が検出されると、それらの焦点評価値に基づいて、カメラ本体１４の撮像素子の撮像面によって撮像される被写体画像のコントラスト（焦点評価値）が最大となるように撮影光学系のフォーカスが制御される。
【００４５】
このようなＡＦ用撮像素子８６Ａ、８６Ｂ、８６Ｃが搭載されたレンズ装置１２においては、カメラ本体１４の撮像素子によって撮影される映像と同等の映像がＡＦ用撮像素子８６Ｂによって得られる。
【００４６】
そこで、ＡＦ用撮像素子８６Ｂで撮像された被写体画像の信号が映像処理部８８に取得され、その映像処理部８８によってＡＦ用撮像素子８６Ｂで撮影される映像の映像信号が生成されると共に、その映像信号がスーパーインポーズ回路７８に与えられるようになっている。そして、図３で説明したのと同様に、ＣＰＵ６０から与えられる被写体距離や焦点距離等の情報を示す画像が、映像処理部８８により与えられた映像信号の映像に合成され、その合成された映像の映像信号がモニタ４０に出力されて表示される。
【００４７】
これによって、テレビカメラ装置１０により現在撮影されている映像と同等の映像がモニタ４０に表示される。
【００４８】
尚、ＡＦ用撮像素子８６Ａ、８６Ｃにおいてカメラ本体１４の撮像素子によって撮影される映像と略同等の映像が得られるため、ＡＦ用撮像素子８６Ａ、８６Ｃから得られる映像のようにカメラ本体１４の撮像素子と完全には一致しない映像をモニタ４０に表示させるようにしてもよい。
【００４９】
また、図４のレンズ装置１２は、ＡＦ用撮像素子を３つ設けた場合の構成を示したが、ＡＦ用撮像素子の数が３つ以外のものであってもいずれかのＡＦ用撮像素子によって撮影された映像を使用することによって、テレビカメラ装置１０により現在撮影されている映像と同等の映像をモニタ４０に表示させることができる。
【００５０】
以上、上記実施の形態では、レンズ装置１２のモニタ４０が一方の側面にのみ設けられていたが、両方の側面に設けてもよいし、１つのモニタ４０を着脱可能にし、所望の側面に取り付けられるようにしてもよい。
【図面の簡単な説明】
【００５１】
【図１】図１は、本発明に係るレンズ装置が適用されたテレビカメラシステムの一実施の形態を示した斜視図である。
【図２】図２は、本発明に係るレンズ装置の左側面を示した側面図である。
【図３】図３は、本発明に係るレンズ装置の内部構成を示したブロック図である。
【図４】図４は、本発明に係るレンズ装置がＡＦ機能及びＡＦ用素子を搭載している場合におけるレンズ装置の内部構成を示したブロック図である。
【符号の説明】
【００５２】
１０…テレビカメラ装置、１２…レンズ装置、１４…カメラ本体、４０…モニタ、５２…フォーカスレンズ、５４…ズームレンズＬ、５６…絞り、５８…リレーレンズ、６０…ＣＰＵ、６２Ｍ、６４Ｍ、６６Ｍ…モータ、６２Ｐ、６４Ｐ、６６Ｐ…ポテンショメータ
【図１】
2008219801.tif 000003
【図２】
2008219801.tif 000004
【図３】
2008219801.tif 000005
【図４】
2008219801.tif 000006